(57)【要約】【課題】集塵室の気密性を確保できる電気掃除機を提供する。【解決手段】集塵蓋７に、シールパッキング２１の集塵室１２側の部分に当接する支持リブ３８を設ける。集塵蓋７にて集塵室１２を閉塞した際にシールパッキング２１の被取付部２２の集塵室１２側の一部を支持リブ３８で支持する。電動送風機１３の駆動により集塵室１２内が負圧となってシールパッキング２１が集塵室１２側に捲れることを支持リブ３８で防止する。隔壁１１が集塵室１２側に撓んでシールパッキング２１が集塵室側に移動した際には、集塵蓋７がシールパッキング２１の移動に追従する。集塵蓋７と集塵室１２との間に隙間を形成することを防止し、集塵室１２の気密性を確保できる。【選択図】        図１
2004229819.tif 000002
【特許請求の範囲】
【請求項１】
掃除機本体と、
吸込用の電動送風機と、
前記掃除機本体に設けられ、前記電動送風機を収容する電動送風機室と、
前記電動送風機の吸込側に連通して前記掃除機本体に設けられた集塵室と、
前記掃除機本体に設けられ、前記集塵室を開閉可能に閉塞する蓋体と、
前記集塵室と前記蓋体との隙間を閉塞するシールパッキングと、
前記蓋体に設けられ、この蓋体にて前記集塵室を閉塞した際に前記シールパッキングの前記集塵室側の少なくとも一部を支持する突起体とを具備したしたことを特徴とした電気掃除機。
【請求項２】
シールパッキングは、集塵室側の少なくとも一部が突起体に支持される被取付部と、
この被取付部の集塵室側からこの集塵室と反対側に向けて自由端になるように突出して設けられ、蓋体にて前記集塵室を閉塞した際に前記蓋体と前記集塵室との隙間を閉塞するリップ部とを備えたことを特徴とした請求項１記載の電気掃除機。
【請求項３】
突起体は、蓋体にて集塵室を閉塞した際に、シールパッキングの少なくとも一部に沿って当接するように設けられたことを特徴とした請求項１または２記載の電気掃除機。
【請求項４】
突起体は、蓋体にて集塵室を閉塞した際に、シールパッキングの少なくとも一部に、このシールパッキングに交差する方向に当接するように複数設けられたことを特徴とした請求項１または２記載の電気掃除機。
【発明の詳細な説明】
【０００１】
【発明の属する技術分野】
本発明は、電動送風機の吸込側に連通した集塵室を備えた電気掃除機に関する。
【０００２】
【従来の技術】
従来、この種の電気掃除機は、掃除機本体としての本体ケースを備えている。この本体ケース内には、隔壁が設けられている。この隔壁は、本体ケース内を、電動送風機を収容した電動送風機室と集塵室とに区画形成する。この集塵室は、電動送風機室と連通され、電動送風機の吸込側に気密に接続されている。また、本体ケースの上部には、集塵室を開閉可能に閉塞する蓋体としての集塵蓋が回動可能に取り付けられている。隔壁を含む集塵室の上端開口縁部には、集塵蓋にて集塵室を閉塞した際にこれら集塵蓋と集塵室の隙間を閉塞するシールパッキングが取り付けられている。このシールパッキングには、集塵蓋にて集塵室を閉塞した際に、集塵蓋の下面に設けられたリブにより下方向に押圧されて変形するリップ部が一体に設けられている。このリップ部には、突部が一体に設けられている。この突部は、電動送風機の駆動の際に集塵蓋のリブに係合してシールパッキングが集塵室側に捲れることを防止する（例えば、特許文献１参照。）。
【０００３】
【特許文献１】
実開平４−７０３７号公報（第４−７頁、第５図）
【０００４】
【発明が解決しようとする課題】
しかしながら、上述の電気掃除機では、電動送風機の吸込圧力により突部が比較的容易に集塵蓋のリブから外れてシールパッキングが集塵室側に捲れたり、隔壁が集塵室側に撓んでシールパッキングが集塵室側に移動したりして、シールパッキングと集塵蓋のリブとの間に隙間が生じ、集塵室の気密性を確保することが容易でないという問題点を有している。
【０００５】
本発明はこのような点に鑑みなされたもので、集塵室の気密性を確保できる電気掃除機を提供することを目的とする。
【０００６】
【課題を解決するための手段】
本発明は、集塵室を開閉可能に閉塞する蓋体と、集塵室と蓋体との隙間を閉塞するシールパッキングと、蓋体に設けられ、この蓋体にて集塵室を閉塞した際にシールパッキングの集塵室側の少なくとも一部を支持する突起体とを具備したものである。そして、突起体にてシールパッキングの集塵室側を支持することで、電動送風機の駆動により集塵室内が負圧となってシールパッキングが集塵室側に捲れることを防止するとともに、シールパッキングが集塵室側に移動した際には、蓋体がシールパッキングの移動に追従するため、蓋体と集塵室との間に隙間が形成されることを防止して、集塵室の気密性を確保できる。
【０００７】
【発明の実施の形態】
以下、本発明の電気掃除機の第１の実施の形態の構成を図１ないし図４を参照して説明する。
【０００８】
図４において、１はいわゆるキャニスタ型の電気掃除機である。この電気掃除機１は、中空な下部ケース体２、この下部ケース体２の上部に取り付けられた上部ケース体３、および、下部ケース体２の両側面に沿って取り付けられたバンパ４を有する掃除機本体としての本体ケース５を備えている。この上部ケース体３は、下部ケース体２の後側にねじ止めにて取り付けられた上部ケース体本体６と、この上部ケース体本体６の前側に上下方向に回動可能に取り付けられ、下部ケース体２の前側上部を開閉可能に覆う蓋体としての集塵蓋７とを有している。
【０００９】
また、本体ケース５の前側下部には、図１に示すように、旋回輪８が旋回自在かつ回転自在に取り付けられている。さらに、本体ケース５の後側両側部には、図１および図４に示すように、大径の走行輪９がそれぞれ前後方向に回転自在に取り付けられている。これら旋回輪８および走行輪９により、本体ケース５は被掃除面としての床面上を走行可能となっている。
【００１０】
そして、下部ケース体２内の底部には、図１に示すように、隔壁１１が一体に設けられている。この隔壁１１は、上方に向けてバンパ４の上端部よりも若干上方まで突出し、下部ケース体２の幅方向に沿って設けられている。また、この隔壁１１は、旋回輪８と走行輪９との間、かつ上部ケース体本体６と集塵蓋７との間に、この下部ケース体２内の両側面の間に亘って設けられている。この隔壁１１により、本体ケース５内には、上側開口が集塵蓋７により開閉可能に閉塞される集塵室１２、および、吸込用の電動送風機１３が収容された電動送風機室１４が、前後にそれぞれ区画形成されている。言い換えると、隔壁１１は、集塵室１２および電動送風機室１４の間に形成されている。
【００１１】
また、下部ケース体２の前側には、本体吸込口１５が貫通して設けられ、集塵室１２に連通している。この本体吸込口１５の上方には、係合体１６が前後方向に回動可能に設けられている。この係合体１６は、本体吸込口１５の集塵室１２側の開口に取り付けられた集塵パック１７の上端部を着脱可能に保持してこの集塵パック１７を集塵室１２内に固定する。
【００１２】
集塵室１２の上端縁部の両側（図示せず）および前側には、隔壁１１の上端部に連続してリブ状の嵌合突部１８が形成されている。そして、隔壁１１の上端部および嵌合突部１８全体には、図１および図３に示すように、シールパッキング２１が例えば接着剤などで固定されている。このシールパッキング２１は、例えばゴムなどの軟質の部材にて環状に形成されている。シールパッキング２１は、図３に示すように、被取付部２２と、この被取付部２２と一体に設けられたリップ部としてのリップ片２３とを備えている。
【００１３】
被取付部２２は、下方に向けて突出した内側当接部２４および外側当接部２５を有している。内側当接部２４は、隔壁１１および嵌合突部１８の集塵室側１２の側面に当接している。また、外側当接部２５は、内側当接部２４と離間されており、隔壁１１および嵌合突部１８の集塵室１２と反対側の側面に当接している。さらに、内側当接部２４および外側当接部２５は、これら内側当接部２４および外側当接部２５に交差する方向、すなわち水平方向に沿って形成された連結部２６により一体となっている。
【００１４】
またさらに、シールパッキング２１の隔壁１１の上端部に位置する部分には、外側当接部２５よりもシールパッキング２１の外側に、当接部２７が一体に設けられている。この当接部２７は、外側当接部２５から電動送風機室１４側に離間され、下方向に向けて突出している。したがって、シールパッキング２１の被取付部２２は、図１に示すように、集塵室１２の前側に位置する部分が断面略Ｎ字状に形成され、隔壁１１の上端部に位置する部分が断面略Ｍ字状に形成されている。すなわち、シールパッキング２１は、集塵室１２の前側に位置する部分と、隔壁１１の上端部に位置する部分とで断面形状がそれぞれ異なっている。
【００１５】
また、隔壁１１の上端部に位置する外側当接部２５は、図１および図３に示すように、隔壁１１の電動送風機室１４側の側面からＬ字状に上方向に突出したリブ状の嵌合部２８の集塵室１２側の側面に当接し、当接部２７は、この嵌合部２８の電動送風機室１４側の側面に当接している。すなわち、隔壁１１の上端部に位置する外側当接部２５は、隔壁１１の上端部と嵌合部２８とで形成された凹部２９に嵌合されている。
【００１６】
さらに、隔壁１１の上端部に位置するシールパッキング２１の連結部２６は、上部ケース体本体６の前側の下端部と隔壁１１とで挟持されている。
【００１７】
またさらに、リップ片２３は、外側当接部２５の上端部から、集塵室１２と反対側に向けて突出して設けられている。このリップ片２３は、先端側が外側当接部２５の前後方向の略中心域まで延設されている。したがって、リップ片２３は、集塵室１２側の端部が、被取付部２２の内側当接部２４の上端部に一体に設けられ、電動送風機室１４側の端部が、自由端になっている。
【００１８】
また、集塵蓋７は、図１に示すように、本体ケース５の前方に向けて下方に傾斜している。この集塵蓋７の上面には、図１および図４に示すように、例えば紫外線を透過させる透光性の樹脂などで形成され、本体ケース５を持ち運び可能にするハンドル部３１が例えば接着剤などで取り付けられている。さらに、集塵蓋７で集塵室１２を閉塞した際のこの集塵室１２の上部になる位置には、図１に示すように、窓部３２が貫通して設けられている。この窓部３２からは、ハンドル部３１の一部を介して集塵室１２の内部に本体ケース５の外部からの紫外線を含む光が導入される。
【００１９】
またさらに、窓部３２の下側には、上部フィルタ体３３が窓部３２に対向して着脱可能に取り付けられている。この上部フィルタ体３３は、格子状の上部枠体３４、および、この上部枠体３４に取り付けられた、例えば抗菌性および消臭性などを有する酸化チタンなどの光触媒を用いた上部フィルタ３５を有している。
【００２０】
そして、集塵蓋７の下部には、図１および図３に示すように、下方に向けて突出したリブ３６が設けられている。このリブ３６は、集塵蓋７の下部の周縁に沿って全周に亘って設けられている。このリブ３６は、集塵蓋７で集塵室１２を閉塞した際にシールパッキング２１のリップ片２３の上部に当接する。
【００２１】
また、後側のリブ３６の前側面には、図３に示すように、集塵蓋７を補強する補強リブ３７が、複数、集塵蓋７の幅方向に略等間隔に離間されて設けられている。これら補強リブ３７は、集塵蓋７の下部から下方に向けてリブ３６の下端部よりも若干上側の位置に亘って突出し、本体ケース５の前後方向に沿って設けられている。
【００２２】
さらに、集塵蓋７の幅方向の中心域に位置した補強リブ３７の側部には、突起体としてのリップ部吸込まれ防止リブである支持リブ３８が設けられている。この支持リブ３８は、略矩形状のリブ本体３８ａと、このリブ本体３８ａから下方に向けて突出した突起部３８ｂとを有している。リブ本体３８ａは、集塵蓋７の下部からリブ３６の下端部近傍に亘って突出しており、本体ケース５の前後方向に沿って設けられている。このリブ本体３８ａは、集塵蓋７で集塵室１２を閉塞した際にシールパッキング２１のリップ片２３と被取付部２２との連結部近傍に下端部が当接する。また、突起部３８ｂは、リブ本体３８ａの前側の下端部から、リブ３６の下端部よりも下方に突出している。この突起部３８ｂは、集塵蓋７で集塵室１２を閉塞した際にシールパッキング２１の被取付部２２の集塵室１２側に当接してこのシールパッキング２１を支持する。したがって、支持リブ３８は、集塵蓋７で集塵室１２を閉塞した際に、隔壁１１の上端部に取り付けられたシールパッキング２１の被取付部２２に対して交差する方向である直交方向に当接するように設けられている。
【００２３】
隔壁１１の本体ケース５の幅方向の一側寄りの位置には、集塵室１２と電動送風機室１４とを互いに連通させる連通部としての図示しない貫通孔が設けられている。この貫通孔の集塵室１２側、すなわち前側には、図１に示すように、集塵パック１７で捕捉できなかったさらに微細な細塵を捕捉する細塵捕捉手段としてのフィルタ体４２が着脱可能に取り付けられている。このフィルタ体４２は、格子状の枠体４３およびこの枠体４３に取り付けられたフィルタ４４を有し、貫通孔全体を覆うように取り付けられている。
【００２４】
また、電動送風機室１４内において、電動送風機１３は貫通孔の後側に収容されている。この電動送風機１３は、図示しないパッキングなどが周囲に嵌着され、吸込側である負圧側が貫通孔に対して気密に接続されている。すなわち、電動送風機１３は、負圧側が集塵室１２に連通している。言い換えると、集塵室１２は、電動送風機１３の負圧側に連通している。
【００２５】
またさらに、電動送風機室１４内には、図示しない電源コードを巻回したコードリール、および、電源コードおよび電動送風機１３などと電気的に接続された図示しない回路基板なども収容されている。
【００２６】
さらに、電動送風機室１４の後部の電動送風機１３の後側には、複数の排気孔５１が貫通して設けられた排気パネル５２が、下部ケース体２と上部ケース体３との間に挟持されて取り付けられている。この排気パネル５２の各排気孔５１は、電動送風機１３の排気側である正圧側に連通されており、電動送風機１３から排気された排気風を本体ケース５の外部に排気させる。そして、バンパ４の電動送風機室１４側に位置した部分には、図４に示すように、複数の排気孔５３が貫通して設けられている。
【００２７】
一方、本体吸込口１５には、図４に示すように、可撓性を有するホース体６１の基端が連通されて着脱可能に接続されている。このホース体６１の先端には、このホース体６１の基端側に向けて上側に突出した把持部６３が一体に設けられている。この把持部６３には、電動送風機１３などの動作モードを設定する複数の設定ボタン６４が設けられている。また、ホース体６１の先端側には、伸縮可能な接続管としての延長管６５を介して吸込口体としての床ブラシ６６が着脱可能に連通接続されている。
【００２８】
次に、上記第１の実施の形態の動作を説明する。
【００２９】
まず、掃除をする際には、集塵蓋７を回動させて集塵室１２を開口させ、この集塵室１２内に集塵パック１７を取り付けた後、集塵蓋７を回動させて集塵室１２を閉塞するとともに、本体吸込口１５にホース体６１および延長管６５を介して床ブラシ６６を接続する。そして、設定ボタン６４を操作して電動送風機１３を駆動させ、ホース体６１の把持部６３を持って押動させて、床ブラシ６６を床面上で前後に走行させる。
【００３０】
このとき、電動送風機１３の駆動により発生する吸込力によって、床ブラシ６６の図示しない吸込口から空気とともに床面上の塵埃が吸い込まれる。
【００３１】
この後、床ブラシ６６の吸込口から塵埃とともに吸い込まれた空気は、延長管６５およびホース体６１を順次介して本体吸込口１５へと吸い込まれた後、集塵パック１７にて空気とともに吸い込んだ塵埃が捕捉されて集塵される。
【００３２】
ここで、電動送風機１３の駆動により、シールパッキング２１が集塵室１２内へと引き込まれて捲れようとする。また、電動送風機１３が吸込圧力で隔壁１１を集塵室１２側に押圧し、この隔壁１１が集塵室１２側に若干弾性変形してシールパッキング２１とともに集塵室１２側に移動する。
【００３３】
このとき、集塵蓋７の支持リブ３８の突起部３８ｂがシールパッキング２１の集塵室１２側に当接してシールパッキング２１の捲れを防止するとともに、シールパッキング２１の移動に集塵蓋７が追従し、集塵蓋７と集塵室１２の間に隙間を生じさせなくする。
【００３４】
同時に、シールパッキング２１のリップ片２３の自由端側が図３に示す想像線のように変形することで、このリップ片２３がリブ３６および支持リブ３８のリブ本体３８ａに押圧されて、集塵蓋７と集塵室１２との間の隙間をさらに閉塞する。
【００３５】
この後、集塵パック１７を通過した吸込風は、集塵室１２内で上部フィルタ体３３により殺菌および消臭され、フィルタ体４２にてさらに微細な塵埃を捕捉されて貫通孔および電動送風機１３を通過して排気風となり、排気孔５１，５３から本体ケース５の外部へと排気される。
【００３６】
上述したように、上記第１の実施の形態によれば、集塵蓋７にて集塵室１２を閉塞した際にシールパッキング２１の被取付部２２の集塵室１２側の一部を支持リブ３８で支持することで、電動送風機１３の駆動により集塵室１２内が負圧となってシールパッキング２１が集塵室１２側に捲れて隔壁１１の上端部から外れることを防止するとともに、シールパッキング２１が集塵室１２側に移動した際に集塵蓋７がシールパッキング２１の移動に追従して一体に移動するため、シールパッキング２１が支持リブ３８と隔壁１１との間に常に位置し、集塵蓋７と集塵室１２との間に隙間が形成されることを防止する。
【００３７】
ここで、集塵室１２は、塵埃を吸い込んで膨らむ集塵パック１７を収容するためのスペースを確保するために、隔壁１１を補強するリブなどを設けることが容易でないが、上記第１の実施の形態では、隔壁１１を補強するリブなどを設けて集塵室１２を狭くせずに隔壁１１が電動送風機１３の吸込圧力で変形しても、集塵蓋７と集塵室１２との隙間からの空気漏れ、いわゆるリークを防止でき、集塵室１２の気密性を確保できて、電動送風機１３の吸込力を確保できる。
【００３８】
また、シールパッキング２１に、被取付部２２とこの被取付部２２の集塵室１２側からこの集塵室１２と反対側に向けて自由端になるようにリップ片２３を突出して設けることにより、電動送風機１３の駆動で集塵室１２側が電動送風機室１４に対して負圧となった際に、このリップ片２３が変形してリブ３６および支持リブ３８のリブ本体３８ａに押圧されて隙間を閉塞するので、集塵室１２の気密性をより向上できる。
【００３９】
さらに、支持リブ３８を集塵蓋７の下部から下方に向けて設け、隔壁１１の上端部に取り付けられたシールパッキング２１の被取付部２２に直交する方向に当接するようにしたので、集塵蓋７の下側に予め設けられた補強リブ３７を延長して形成できるため、別途リブを形成する場合と比較して設計が容易になり、製造性をより向上できる。
【００４０】
次に、本発明の電気掃除機の第２の実施の形態を図５および図６を参照して説明する。
【００４１】
この図５および図６に示す実施の形態は、上記図１ないし図４に示す実施の形態と基本的に同様の構成を有しているが、支持リブ３８は、図５に示すように、後側に位置したリブ３６の前側に、集塵蓋７の幅方向に沿って下方向に向けて突出した略矩形板状に設けられている。この支持リブ３８は、集塵蓋７の幅方向の略全体に亘って設けられている。すなわち、支持リブ３８は、集塵蓋７で集塵室１２を閉塞した際に、隔壁１１の上端部に位置したシールパッキング２１の被取付部２２の集塵室１２側の側面に略沿って平行に当接するように設けられている。また、支持リブ３８は、下端部がリブ３６の下端部よりも下方に突出している。
【００４２】
さらに、支持リブ３８は、補強リブ３７により補強されている。またさらに、支持リブ３８は、図６に示すように、リブ３６の集塵室１２側の側面にリブ３６から離間して一体的に設けられている。
【００４３】
そして、上記第２の実施の形態によれば、上記図１ないし図４に示す実施の形態と同様の作用により、集塵蓋７と集塵室１２との間に隙間が形成されることを防止するため、上記図１ないし図４に示す実施の形態と同様の効果を奏することができる。
【００４４】
また、支持リブ３８を矩形平板状とし、隔壁１１の上端部に位置したシールパッキング２１の被取付部２２の集塵室１２側の側面に略沿って平行に当接するように設けることにより、支持リブ３８でシールパッキング２１の被取付部２２の集塵室１２側の側面の、より広い面積を支持リブ３８で支持できるので、集塵蓋７と集塵室１２との間に隙間ができることをより確実に防止できるとともに、シールパッキング２１が捲れて隔壁１１の上端部から外れることを、より確実に防止できる。
【００４５】
なお、上記各実施の形態において、シールパッキング２１は、リップ片２３を設けずに図７に示すような断面略円弧状の被取付部２２に形成するなど、他の様々な形状が可能である。
【００４６】
また、キャニスタ型の電気掃除機に限らず、床ブラシ６６が本体ケース５の下面に直接形成されたアップライト型、その他、本体ケース５と床ブラシ６６とが一体化された自走式の電気掃除機あるいはハンディ型などであっても対応させて用いることができる。
【００４７】
さらに、支持リブ３８の形状は、シールパッキング２１の集塵室側の面を支持できれば、他の様々な形状が可能である。
【００４８】
そして、電気掃除機１の細部の構成は、上記各実施の形態の構成に限定されるものではない。
【００４９】
【発明の効果】
本発明によれば、突起体にてシールパッキングの集塵室側を支持することで、電動送風機の駆動により集塵室内が負圧となってシールパッキングが集塵室側に捲れることを防止するとともに、シールパッキングが集塵室側に移動した際に、蓋体がシールパッキングの移動に追従するため、シールパッキングが蓋体と集塵室との間に位置し、蓋体と集塵室との間に隙間が形成されることを防止して、集塵室の気密性を確保できる。
【図面の簡単な説明】
【図１】本発明の電気掃除機の第１の実施の形態を示す断面図である。
【図２】同上電気掃除機の一部を示す斜視図である。
【図３】同上電気掃除機の一部を拡大して示す断面図である。
【図４】同上電気掃除機を示す斜視図である。
【図５】本発明の電気掃除機の第２の実施の形態を示す斜視図である。
【図６】同上電気掃除機の一部を拡大して示す断面図である。
【図７】本発明の電気掃除機の他のシールパッキングの例を拡大して示す断面図である。
【符号の説明】
１    電気掃除機
５    掃除機本体としての本体ケース
７    蓋体としての集塵蓋
１２    集塵室
１３    電動送風機
１４    電動送風機室
２１    シールパッキング
２２    被取付部
２３    リップ部
３８    突起体としての支持リブ
【図１】
2004229819.tif 000003
【図２】
2004229819.tif 000004
【図３】
2004229819.tif 000005
【図４】
2004229819.tif 000006
【図５】
2004229819.tif 000007
【図６】
2004229819.tif 000008
【図７】
2004229819.tif 000009